(57)【要約】      （修正有）【課題】防水効果に優れるとともに、ランプビーズを多列に分けてフレキシブルプリント基板に設けることで取り付け時間を節約する多列型ランプビーズを含む防水ロールアップランプを提供する。【解決手段】防水ロールアップランプは、正面と背面とを含むフレキシブル基板１を含み、フレキシブル基板正面にストリップライト２が設けられ、フレキシブル基板の背面が防水布３で覆われ、ストリップライトはフレキシブルプリント基板と、フレキシブルプリント基板に設けられた若干のランプビーズとを含み、ランプビーズは少なくとも２列に分けられて間隔をおいてフレキシブルプリント基板に設けられ、ストリップライトがフレキシブル防水ディフューザー４で覆われ、フレキシブル防水ディフューザーの縁は周方向に沿って防水布の縁に密封接続される。【選択図】図３
0003227645.tif 000002
【実用新案登録請求の範囲】
【請求項１】
正面と背面とを含むフレキシブル基板を含み、前記フレキシブル基板の正面にストリップライトが設けられ、前記フレキシブル基板の背面が防水布で覆われ、前記ストリップライトはフレキシブルプリント基板と、前記フレキシブルプリント基板に設けられた若干のランプビーズとを含み、前記ランプビーズは少なくとも２列に分けられて間隔をおいて前記フレキシブルプリント基板に設けられ、前記ストリップライトがフレキシブル防水ディフューザーで覆われ、前記フレキシブル防水ディフューザーの縁は周方向に沿って前記防水布の縁に密封接続されることを特徴とする多列型ランプビーズを含む防水ロールアップランプ。
【請求項２】
前記フレキシブル防水ディフューザーと前記ストリップライトとの間にはフレキシブルランプビーズ位置決め板が設けられ、前記フレキシブルランプビーズ位置決め板に若干の位置決め孔が設けられ、前記位置決め孔の形状とサイズは前記ランプビーズの形状とサイズにそれぞれ適合し、前記位置決め孔は前記ランプビーズを収納して固定するために用いられることを特徴とする請求項１に記載の多列型ランプビーズを含む防水ロールアップランプ。
【請求項３】
前記フレキシブル防水ディフューザーは、超音波圧着技術で前記フレキシブルランプビーズ位置決め板、前記フレキシブル基板、及び前記防水布と圧着して圧痕を形成し、前記圧痕は、前記ストリップライトの両側に位置し、断続的な長い点状を呈することを特徴とする請求項２に記載の多列型ランプビーズを含む防水ロールアップランプ。
【請求項４】
フレキシブルエッジを更に含み、前記フレキシブルエッジは前記フレキシブル防水ディフューザーと前記防水布との縁を包むことを特徴とする請求項１に記載の多列型ランプビーズを含む防水ロールアップランプ。
【請求項５】
前記ストリップライトの片端に配線板が設けられ、前記フレキシブルプリント基板は前記配線板に電気的に接続され、前記配線板は電気的接続線を介して外部照明コントローラーに接続され、前記ストリップライトの発光を制御することを特徴とする請求項１に記載の多列型ランプビーズを含む防水ロールアップランプ。
【請求項６】
前記電気的接続線は入力端と出力端とを含み、前記入力端は外部照明コントローラーに接続するために用いられ、前記出力端は前記防水布と前記フレキシブル基板とを順次貫通した後に前記配線板に電気的に接続されることを特徴とする請求項５に記載の多列型ランプビーズを含む防水ロールアップランプ。
【請求項７】
前記防水布及び前記フレキシブル基板に、前記電気的接続線が貫通する第１の貫通孔と第２の貫通孔とがそれぞれ設けられ、前記第１の貫通孔と前記第２の貫通孔との間に防水ゴムパッドが設けられ、前記電気的接続線が前記防水ゴムパッドを貫通することを特徴とする請求項６に記載の多列型ランプビーズを含む防水ロールアップランプ。
【請求項８】
前記防水布は前記第１の貫通孔の両端に第１の固定座及び第２の固定座がそれぞれ設けられ、前記第１の固定座と前記第２の固定座は接続部材が前記防水布を貫通することによって固定接続され、前記防水ゴムパッドは前記第１の固定座と前記第２の固定座との間に挟持され、前記第１の固定座及び前記第２の固定座に、前記電気的接続線が貫通する線引き込み孔と線引き出し孔がそれぞれ設けられることを特徴とする請求項７に記載の多列型ランプビーズを含む防水ロールアップランプ。
【請求項９】
前記防水ゴムパッドが防水シリコーンゴムパッドであることを特徴とする請求項７に記載の多列型ランプビーズを含む防水ロールアップランプ。
【請求項１０】
前記ストリップライトは前記フレキシブル基板に接着されることを特徴とする請求項１から９のいずれか１項に記載の多列型ランプビーズを含む防水ロールアップランプ。
【考案の詳細な説明】
【技術分野】
【０００１】
本実用新案は撮影又は撮像補助用ランプの技術分野に係る、特に多列型ランプビーズを含む防水ロールアップランプに係る。
【背景技術】
【０００２】
ロールアップランプは撮影又は撮像に使用される補助光ランプであり、一般に、フレキシブル材料で作られ、保存又は携帯ための巻き取り可能なものである。現在、市場に出回っているロールアップランプのほとんどには、下記の課題がある。まず、ランプビーズは巻き取り中に位置ずれが発生しやすいため、ロールアップランプにより射出した光線が不均一になり、光効率に影響を与え、次に、防水機能を備えていないため、ロールアップランプに水が入った場合に回路が短絡し、ランプビーズが損傷され、ランプの正常な使用に影響を与える。
【考案の概要】
【０００３】
実用新案内容
本実用新案は多列型ランプビーズを含む防水ロールアップランプを提供し、上記課題のうちの１つ又は複数を解決することを目的とする。
本実用新案の防水ロールアップランプは、正面と背面とを含むフレキシブル基板を含み、フレキシブル基板の正面にストリップライトが設けられ、フレキシブル基板の背面が防水布で覆われ、ストリップライトはフレキシブルプリント基板と、フレキシブルプリント基板に設けられた若干のランプビーズとを含み、ランプビーズは少なくとも２列に分けられて間隔をおいてフレキシブルプリント基板に設けられ、ストリップライトがフレキシブル防水ディフューザーで覆われ、フレキシブル防水ディフューザーの縁は周方向に沿って防水布の縁に密封接続される。本実用新案の防水ロールアップランプは、防水効果に優れるとともに、ランプビーズを多列に分けてフレキシブルプリント基板に設けることで取り付け時間を節約する。
一部の実施形態では、フレキシブル防水ディフューザーとストリップライトとの間にはフレキシブルランプビーズ位置決め板が設けられ、フレキシブルランプビーズ位置決め板に若干の位置決め孔が設けられ、位置決め孔の形状とサイズはランプビーズの形状とサイズにそれぞれ適合し、位置決め孔はランプビーズを収納して固定するために用いられる。フレキシブルランプビーズ位置決め板は、本実用新案の防水ロールアップランプの巻き取り中にランプビーズの位置ずれが発生するため、光効率に影響を与えることを防止するために用いられる。
一部の実施形態では、フレキシブル防水ディフューザーは、超音波圧着技術でフレキシブルランプビーズ位置決め板、フレキシブル基板、及び防水布と圧着して圧痕を形成し、圧痕はストリップライトの両側に位置し、断続的な長い点状を呈する。超音波圧着技術で圧着すると、各ストリップライトが単独の仕切りに位置し、ストリップライト同士が互いに分離し、それにより、ランプの巻き取り中にランプビーズの位置ずれが発生することを更に防止する。
一部の実施形態では、本実用新案の防水ロールアップランプは、フレキシブルエッジを更に含み、フレキシブルエッジはフレキシブル防水ディフューザーと防水布との縁を包む。フレキシブルエッジは、ランプ全体の安定性を高めることができるだけでなく、ランプの美観性を高めることができる。
一部の実施形態では、ストリップライトの片端に配線板が設けられ、フレキシブルプリント基板は配線板に電気的に接続され、配線板は電気的接続線を介して外部照明コントローラーに接続され、ストリップライトの発光を制御し、ランプビーズの発光輝度や発光色などを調節する。
一部の実施形態では、電気的接続線は入力端と出力端とを含み、入力端は外部照明コントローラーに接続するために用いられ、出力端は防水布とフレキシブル基板とを順次貫通した後に配線板に電気的に接続される。
一部の実施形態では、防水布及びフレキシブル基板に、電気的接続線が貫通する第１の貫通孔と第２の貫通孔とがそれぞれ設けられ、第１の貫通孔と第２の貫通孔との間に防水ゴムパッドが設けられ、電気的接続線が防水ゴムパッドを貫通する。防水ゴムパッドは、水分が第１の貫通孔を通過してランプの内部に入ることを防止することができる。
一部の実施形態では、防水布は第１の貫通孔の両端に第１の固定座及び第２の固定座がそれぞれ設けられ、第１の固定座と第２の固定座は接続部材が防水布を貫通することによって固定接続され、防水ゴムパッドは第１の固定座と第２の固定座との間に挟持され、第１の固定座及び第２の固定座に、電気的接続線が貫通する線引き込み孔と線引き出し孔がそれぞれ設けられる。
一部の実施形態では、防水ゴムパッドが防水シリコーンゴムパッドである。シリコーンゴムパッドは高弾性を有し、防水効果に優れる。
一部の実施形態では、ストリップライトはフレキシブル基板に接着され、取り付けやすい。
【考案の効果】
【０００４】
本実用新案の防水ロールアップランプは下記の有益な効果がある。
（１）フレキシブル防水ディフューザーと防水布とを採用し、且つフレキシブル防水ディフューザーの縁と防水布の縁とを密封接続することにより、防水効果が向上する。
（２）ストリップライトのフレキシブルプリント基板に多列のランプビーズを設けることにより、従来技術におけるストリップライトの１列のランプビーズの設置に比べて、ランプビーズの使用量が同じである場合に、ストリップライトの総数を減らし、ランプの生産、取り付けの時間を節約する。
（３）フレキシブルランプビーズ位置決め板の位置決め孔でランプビーズを収納して固定することによって、ランプの巻き取り中にランプビーズの位置ずれが発生することを防止できる。
（４）超音波圧着技術を採用することにより、ストリップライト同士が互いに分離され、各ストリップライトがいずれも単独の仕切り内に位置し、ランプの巻き取り中にランプビーズの位置ずれが発生することをさらに防止し、ランプの全体性と安定性を高める。
（５）防水布の第１の貫通孔に防水ゴムパッドを設けることで水分がランプの内部に入ることを防止する。
【図面の簡単な説明】
【０００５】
【図１】本実用新案の多列型ランプビーズを含む防水ロールアップランプの展開時の正面構造模式図である。
【図２】本実用新案の多列型ランプビーズを含む防水ロールアップランプの展開時の背面構造模式図である。
【図３】本実用新案の多列型ランプビーズを含む防水ロールアップランプの分解構造模式図である。
【図４】図３のＡ部の拡大図である。
【図５】本実用新案の多列型ランプビーズを含む防水ロールアップランプの部分構造模式図である。
【図６】本実用新案の第１の固定座の構造模式図である。
【図７】本実用新案の多列型ランプビーズを含む防水ロールアップランプのストリップライトの構造模式図である。
【図８】本実用新案の多列型ランプビーズを含む防水ロールアップランプの巻き取り時の構造模式図である。図面の符号の説明  フレキシブル基板１、第２の貫通孔１１、ストリップライト２、フレキシブルプリント基板２１、ランプビーズ２２、防水布３、第１の貫通孔３１、第２の固定接続孔３２、フレキシブル防水ディフューザー４、フレキシブルランプビーズ位置決め板５、位置決め孔５１、圧痕６、フレキシブルエッジ７、配線板８、電気的接続線９、入力端９１、出力端９２、防水ゴムパッド１０、第３の貫通孔１０１、第１の固定座１２、線引き込み孔１２１、本体１２２、線引き込み通路１２３、入口１２４、第１の固定接続孔１２５、第２の固定座１３、線引き出し孔１３１、第３の固定接続孔１３２、接続部材１４、ロック部材１５。
【考案を実施するための形態】
【０００６】
当業者が本実用新案を理解するのを容易にするために、以下、図面を参照しながら本実用新案を更に詳しく説明する。本明細書で記載された特定の実施形態は本実用新案を解釈するためにのみ用いられ、本実用新案を限定するためのものではないことを理解すべきである。
図１から図８は本実用新案の多列型ランプビーズを含む防水ロールアップランプを模式的に示す。
図１から図８に示すように、本実用新案の多列型ランプビーズを含む防水ロールアップランプはフレキシブル材料で作られたフレキシブル基板１を含むが、フレキシブル基板１は正面と背面とを含む。フレキシブル基板１の正面にランプバンド２が設けられ、フレキシブル基板１の背面がゴム製防水布３で覆われる。ストリップライト２は接着剤でフレキシブル基板１に接着される。フレキシブル基板１におけるストリップライト２が複数本ある場合、ランプの巻き取りの便宜のため、各ストリップライト２の間は同一方向に沿って互いに平行に設けられる。
ストリップライト２はフレキシブルプリント基板２１と、フレキシブルプリント基板２１に設けられた若干のランプビーズ２２とを含む。ランプビーズ２２はＬＥＤランプビーズを選択することができ、省エネで環境にやさしい。ランプビーズ２２はストリップライト２の長手方向に沿って３列に分けられて間隔をおいてフレキシブルプリント基板２１に設けられ、このようにして、従来技術におけるストリップライト２における１列のランプビーズの設置と比べて、ランプビーズの使用量が同じ場合に、それに応じてストリップライト２の総数を減らし、ランプの生産、取り付けの時間を節約する。
ストリップライト２の上方がフレキシブル防水ディフューザー４で覆われる。フレキシブル防水ディフューザー４は透明又は半透明のフレキシブル材料で作られる。フレキシブル防水ディフューザー４の縁が超音波技術で周方向に沿って防水布３の縁に密封接着されることで、ランプ全体が密封性と防水性を有する。本実用新案の防水ロールアップランプはフレキシブルエッジ７を更に含み、フレキシブルエッジ７はランプ全体の安定性と美観性を高めるために、フレキシブル防水ディフューザー４の縁と防水布３の縁とを包む。フレキシブルエッジ７は縫合の方法でフレキシブル防水ディフューザー４と防水布３に接続されてもよく、その他の方法を採用してもよく、ここでは限定されない。フレキシブル防水ディフューザー４とストリップライト２との間にフレキシブルランプビーズ位置決め板５が設けられる。フレキシブルランプビーズ位置決め板５はフレキシブル材料で作られる。フレキシブルランプビーズ位置決め板５に若干の位置決め孔５１が設けられ、位置決め孔５１の形状とサイズはそれぞれランプビーズ２２の形状とサイズに適合し、位置決め孔５１はランプビーズ２２を収納して固定し、ランプの巻き取り中にランプビーズ２２の位置ずれが発生することを防止するために用いられる。各ランプビーズ２２がいずれも位置決め孔５１に収納されることを確保するために、位置決め孔５１の数とランプビーズ２２の数とが同じである。ランプビーズ２２をよりよく固定するため、位置決め孔５１の内壁に接着剤を選択的に設け、ランプビーズ２２が位置決め孔５１に接着するようにしてもよい。
フレキシブル防水ディフューザー４は超音波レースマシンでフレキシブルランプビーズ位置決め板５、フレキシブル基板１、及び防水布３と圧着して圧痕６を形成する。当該圧痕６はフレキシブル防水ディフューザー４、フレキシブルランプビーズ位置決め板５、フレキシブル基板１、及び防水布３の間の結合部を形成する。圧痕６はストリップライト２の両側に位置し、断続的な長い点状を呈し、それにより各ストリップライト２がいずれも単独の仕切りに位置し、ストリップライト２同士が互いに分離され、ランプの巻き取り中のランプビーズ２２の位置ずれの発生を効果的に防止し、ランプの全体性と安定性を高める。
ストリップライト２の片端に配線板８が設けられ、ストリップライト２のフレキシブルプリント基板２１は配線板８に接続され、配線板８は電気的接続線９を介して外部照明コントローラーに接続されることによってストリップライト２の発光を制御し、ランプビーズ２２の発光輝度や発光色などを調節する。電気的接続線９は入力端９１と出力端９２とを含む。電気的接続線９の入力端９１は外部照明コントローラーに接続され、電気的接続線９の出力端９２は防水布３とフレキシブル基板１とを順次貫通した後に配線板８に電気的に接続される。防水布３及びフレキシブル基板１に、電気的接続線９が貫通する第１の貫通孔３１と第２の貫通孔１１とがそれぞれ設けられ、第１の貫通孔３１と第２の貫通孔１１との間に防水ゴムパッド１０が設けられ、防水ゴムパッド１０は中間位置に第３の貫通孔１０１が設けられる。好ましくは、防水ゴムパッド１０が高弾性の防水シリコーンゴムパッドであり、電気的接続線９が防水ゴムパッド１０における第３の貫通孔１０１を貫通する。さらに、防水布３は第１の貫通孔３１の両端に第１の固定座１２と第２の固定座１３とがぞれぞれ設けられ、接続部材１４が防水布３を貫通して第１の固定座１２と第２の固定座１３とを接続することによって、防水ゴムパッド１０が第１の固定座１２と第２の固定座１３との間にしっかりと挟持される。接続部材１４はネジ、ビス又は接続の役割を果たすことが可能な他の部材であってもよく、ここでは限定されない。第１の固定座１２及び第２の固定座１３に、電気的接続線９が貫通する線引き込み孔１２１と線引き出し孔１３１とがそれぞれ設けられる。電気的接続線９の出力端９２は第１の固定座１２の線引き込み孔１２１、防水布３の第１の貫通孔３１、防水ゴムパッド１０の第３の貫通孔１０１、第２の固定座１３の線引き出し孔１３１、及びフレキシブル基板１の第２の貫通孔１１を順次貫通して配線板８に電気的に接続され、防水ゴムパッド１０は水分が電気的接続線９の線引き込み孔１２１からランプの内部に入ってランプを損傷することを防止でき、これによりランプ全体の防水性を保証する。
さらに、第１の固定座１２は本体１２２を含み、防水布３から離れた本体１２２の片面の中央位置に線引き込み通路１２３が設けられ、線引き込み通路１２３は外向きに隆起しほぼアーチ形を呈する。線引き込み通路１２３と線引き込み孔１２１とが貫通する。線引き込み通路１２３の片側に入口１２４が開設される。電気的接続線９の出力端９２は入口１２４を経て線引き込み通路１２３に入り、次に線引き込み孔１２１を貫通する。第１の固定座１２に線引き込み通路１２３を設けると水分がランプに入るストロークを延長させ、ランプの防水機能をさらに高めることに有益である。線引き込み通路１２３の両側には、接続部材１４が貫通する第１の固定接続孔１２５がそれぞれ設けられ、第１の固定接続孔１２５は数が４つであり、線引き込み通路１２３の両側に均一に分布される。防水布３は第１の固定接続孔１２５の対応する位置に第２の固定接続孔３２が設けられ、第２の固定接続孔３２の数と第１の固定接続孔１２５の数とが同じであり、且つ防水布３の第１の貫通孔３１の両側に均一に分布される。第２の固定座１３は第２の固定接続孔３２の対応する位置に第３の固定接続孔１３２が設けられ、第３の固定接続孔１３２の数と第２の固定接続孔３２の数とが同じであり、第２の固定座１３の線引き出し孔１３１の両側に均一に分布される。接続部材１４は第１の固定接続孔１２５、第２の固定接続孔３２、及び第３の固定接続孔１３２を順次貫通して第１の固定座１２と第２の固定座１３とが接続され、さらにロック部材１５でロックすることにより、防水ゴムパッド１０が第１の固定座１２と第２の固定座１３との間にしっかりと挟持される。
また、説明すべきことは、特に明記しない限り、明細書の用語「第１の」、「第２の」、「第３の」などの記述が、単に明細書の各コンポーネント、要素、ステップなどを区別するためのものであり、各コンポーネント、要素、ステップの間の論理関係又は順序関係などを示すためのものではない。本実用新案の記述において、用語「上」、「下」、「鉛直」、「水平」、「垂直」、「頂」、「底」、「内」、「外」などが指示する方位や位置関係は、図面に示した方位又は位置関係に基づいくものであり、単に本実用新案の記述の容易化及び記述の簡素化のためのものであり、かかる装置や素子が必ず特定の方位を有することや、特定の方位で構造、操作されることを指示や暗示するものではなく、従って、本実用新案に対する制限と理解され得ない。
以上は本実用新案の一部の実施形態に過ぎない。当業者であれば、本実用新案の創造的構想を逸脱することなく、若干の変形や改善を行ってもよく、それらは全て本実用新案の保護範囲に属する。 
【図１】
0003227645.tif 000003
【図２】
0003227645.tif 000004
【図３】
0003227645.tif 000005
【図４】
0003227645.tif 000006
【図５】
0003227645.tif 000007
【図６】
0003227645.tif 000008
【図７】
0003227645.tif 000009
【図８】
0003227645.tif 000010